(57)【要約】【課題】試験布帛と摩擦布との摩擦により試験布帛の摩擦帯電性を評価する装置であって、試験布帛に蓄積された静電気を視覚的、触覚的に体感できる摩擦帯電性評価装置を提供する。【解決手段】試験布帛と摩擦布との摩擦により発生する試験布帛の摩擦帯電性を評価する装置であって、摩擦布が貼り合わされた回転枠体１と試験布帛の固定部材８とを備え、前記回転枠体１が回転する際に前記摩擦布と前記試験布帛とが接触する位置に、前記試験布帛が取り付けられていることを特徴とする摩擦帯電性評価装置。【選択図】図１
2010060447.tif 000002
【特許請求の範囲】
【請求項１】
試験布帛と摩擦布との摩擦により発生する試験布帛の摩擦帯電性を評価する装置であって、摩擦布が貼り合わされた回転枠体１と試験布帛の固定部材８とを備え、前記回転枠体１が回転する際に前記摩擦布と前記試験布帛とが接触する位置に、前記試験布帛が取り付けられていることを特徴とする摩擦帯電性評価装置。
【請求項２】
前記回転枠体１が２〜６個の円筒３を有し、かつ該円筒３に摩擦布が貼り合わされてなる、請求項１に記載の摩擦帯電性評価装置。
【請求項３】
前記回転枠体１がハンドル４により手動で回転される、請求項１または請求項２に記載の摩擦帯電性評価装置。
【請求項４】
前記試験布帛を固定する固定部材８が弾性体である、請求項１〜３のいずれかに記載の摩擦帯電性評価装置。
【請求項５】
前記弾性体がスプリングである、請求項４に記載の摩擦帯電性評価装置。
【発明の詳細な説明】
【技術分野】
【０００１】
本発明は、試験布帛と摩擦布との摩擦により試験布帛の摩擦帯電性を評価する装置に関するものである。
【背景技術】
【０００２】
従来、試験布帛と摩擦物との摩擦により試験布帛の摩擦帯電性を評価する装置としては、水平に設置された試験布帛と可動式摩擦物とを摩擦させる装置や、回転ドラムに取付けられた試験布帛と固定された摩擦布とを摩擦させる装置などが提案されている（例えば、特許文献１、特許文献２、非特許文献１参照）。
【０００３】
しかしながら、これらの装置では摩擦後においても試験布帛が摩擦物に接触しているため試験布帛に蓄積された静電気が除電されてしまい、静電気を視覚的、触覚的に体感できるものではなかった。
【０００４】
【特許文献１】特開平１−２１６２６４号公報
【特許文献２】実開平５−９２７５６号公報
【非特許文献１】「繊維工学［ＶＩ］最終繊維製品の製造と性能」の第３１９〜３２０ページ社団法人日本繊維機械学会  平成９年１０月３１日印刷発行
【発明の開示】
【発明が解決しようとする課題】
【０００５】
本発明は上記の背景に鑑みなされたものであり、その目的は、試験布帛と摩擦布との摩擦により試験布帛の摩擦帯電性を評価する装置であって、試験布帛に蓄積された静電気を視覚的、触覚的に体感できる摩擦帯電性評価装置を提供することにある。
【課題を解決するための手段】
【０００６】
本発明者は上記の課題を達成するため鋭意検討した結果、回転枠体に摩擦布を貼り付け、該回転枠体の回転中にのみ試験布帛と摩擦布とを接触させ、回転の停止後は試験布帛と摩擦布とを非接触とすることにより、試験布帛に蓄積された静電気が除電されず、試験布帛に蓄積された静電気を視覚的、触覚的に体感できることを見出し、さらに鋭意検討を重ねることにより本発明を完成するに至った。
【０００７】
かくして、本発明によれば「試験布帛と摩擦布との摩擦により発生する試験布帛の摩擦帯電性を評価する装置であって、摩擦布が貼り合わされた回転枠体１と試験布帛の固定部材８とを備え、前記回転枠体１が回転する際に前記摩擦布と前記試験布帛とが接触する位置に、前記試験布帛が取り付けられていることを特徴とする摩擦帯電性評価装置。」が提供される。
【０００８】
その際、前記回転枠体１が２〜６個の円筒３を有し、かつ該円筒３に摩擦布が貼り合わされていることが好ましい。また、前記回転枠体１がハンドル４により手動で回転されることが好ましい。また、前記試験布帛を固定する固定部材８が弾性体であることが好ましい。その際、前記弾性体がスプリングであることが好ましい。
【発明の効果】
【０００９】
本発明によれば、試験布帛と摩擦布との摩擦により試験布帛の摩擦帯電性を評価する装置であって、試験布帛に蓄積された静電気を視覚的、触覚的に体感できるため、衣服の着用時に近い静電気の評価が可能な、布帛の摩擦帯電性評価装置が得られる。
【発明を実施するための最良の形態】
【００１０】
以下、本発明の実施の形態について詳細に説明する。
本発明の摩擦帯電性評価装置には、摩擦布が貼り合わされた回転枠体１が含まれる。かかる回転枠体１において、前記回転枠体１が２〜６個（好ましくは２〜４個、特に好ましくは２個）の円筒３を有し、かつ該円筒３に摩擦布が貼り合わされていることが好ましい。
【００１１】
ここで、前記円筒３の寸法としては特に限定されないが、直径（外径）が１０〜６０ｍｍ、長さが１００〜６００ｍｍの範囲内であることが好ましい。また、該円筒３の材質としてはアクリル円筒であることが好ましい。かかる円筒３に貼り合せる摩擦布としては、ウール標準布など公知の摩擦布でよい。また、摩擦布を円筒３に貼り付ける方法は特に限定されず、接着剤や両面テープなど公知の方法でよい。
【００１２】
前記円筒３は図１に示すように、連結部材５により連結されている。かかる連結部材５の寸法としては特に限定されないが、巾１０〜１００ｍｍ、長さ１００〜３００ｍｍ、厚さ３〜８ｍｍの範囲が好ましい。特に、巾と長さとの比（長さ／巾）が３〜１０の範囲内であると、回転枠体の回転中のみ試験布帛と摩擦布とを接触させ、回転の停止後は試験布帛と摩擦布とを非接触とすることができ、特に好ましい。また、該連結部材５の材質としてはアクリル板であることが好ましい。なお、連結部材５は、通常円筒３の両端に１個ずつ合計２個用いられる。
【００１３】
前記連結部材５の中央部には孔があけられており、回転軸６が通されている。かかる回転軸６としては丸断面であり、その材質としては鉄またはステンレスが好ましい。
かかる回転軸６は、筐体７にあけられた円孔９により支持されている。回転軸６の回転により、該回転軸６を中心にして前記連結部材５および円筒３が回転する。その際、回転軸６は電動式で回転させてもよいが、図１に示すように、回転軸６の端部にハンドル４を取付けて手動式で回転させることが好ましい。
【００１４】
本発明の摩擦帯電性評価装置において、前記回転枠体１が回転する際に前記摩擦布と接触する位置に試験布帛２が取付けられており、回転時にだけ前記摩擦布と試験布帛２とが摩擦し、試験布帛に静電気が蓄積される。そして、回転の停止時には、図１に示すように摩擦布と試験布帛２とを非接触とすることができるので、試験布帛に蓄積した静電気が除電されることがない。
【００１５】
ここで、試験布帛２の寸法は限定されないが、巾５０〜１５０ｍｍ、長さ３００〜８００ｍｍの範囲が好ましい。また、試験布帛２の枚数は限定されず、図１に示すように２枚でもよいし、さらには３枚以上でもよい。
【００１６】
また、試験布帛２は図１に示すようにスプリングなどの弾性体からなる固定部材８を介して固定されていると、回転枠体１が回転する際、摩擦布が貼り付けられた円筒３が試験布帛２に接触してもスプリングが引き伸ばされるため、回転枠体１の回転が容易となり好ましい。
【００１７】
また、本発明の摩擦帯電性評価装置において、筐体７の寸法は特に限定されないが、巾３００〜６００ｍｍ、高さ２５０〜６５０ｍｍ、奥行き１５０〜３５０ｍｍの範囲内であることが好ましい。また、図１のように前面１面があいていると、摩擦布と試験布帛２とを摩擦した後、試験布帛２を容易に触ることができ好ましい。さらに、側面または背面からも筐体の中が見えるよう、筐体７の材質を無色透明アクリル板とすることが好ましい。
【００１８】
本発明の摩擦帯電性評価装置において、摩擦布と試験布帛２とを摩擦した後、試験布帛２には静電気が蓄積されており、また、試験布帛２に手をかざすと静電気により、試験布帛２が手に吸い付く現象を触角で体感することができる。また、塵埃等を試験布帛２に近づけると塵埃がひきつけられ、視覚でも静電気を体感することができる。
なお、図１には、円筒３が２個図示されているが、本発明の摩擦帯電性評価装置において、円筒３の個数が２個に限定されないことはいうまでもない。
【実施例】
【００１９】
以下、実施例をあげて本発明を詳細に説明するが、本発明はこれらによって何ら限定されるものではない。
【００２０】
［実施例１］
厚さ５ｍｍの無色透明アクリル板を用いて、巾４００ｍｍ、高さ４５０ｍｍ、奥行き２５０ｍｍにて、図１のように前面１面のみが空いた筐体７を作製した。前記筐体７の前面より奥行き方向に６０ｍｍ、両側面より５０ｍｍ、１５０ｍｍの位置に試験布帛２を固定するための金属リング固定具を、上面および底面にそれぞれ４個設置した。さらに、奥行き方向に１３０ｍｍ、高さ２５０ｍｍの位置に回転軸６を支持するため、直径１３ｍｍの円孔を両側面に設けた。
【００２１】
次いで、円筒３として直径３０ｍｍ、長さ３５０ｍｍの円筒アクリルを用い、該アクリル円筒２個の両端に、厚さ５ｍｍ、巾３５ｍｍ、長さ２００ｍｍのアクリル板（連結部材５）を１個ずつ取り付け、さらに両側面のアクリル板（連結部材５）の中心部にステンレス棒（回転軸６）を取り付けた。そして、該ステンレス棒（回転軸６）を前記筐体７の円孔に取り付けた後、ステンレス棒（回転軸６）の一方端にＬ字型ハンドル４を取り付け、容易に手動で回転できるようにした。また、２個の円筒３には、摩擦布として公知のウール標準布を巻きつけた。
試験布帛２は、あらかじめ巾１００ｍｍ、長さ５００ｍｍに切断したものを、直径１０ｍｍ、長さ１５０ｍｍの木円筒に両側から巻きつけ、若干の弛みを与えた状態で、上部を金属リングに固定し、下部を木円筒と金属リングをスプリング（固定部材８）にて固定した。
【００２２】
これにより、ローラーが回転した際、スプリングの弾性により、容易に回転枠体１が回転可能となり、かつ、回転枠体１の回転停止時には、回転枠体１に貼り合わされた摩擦布が試験布帛２に直接触れることはなく、試験布帛２に手をかざすと静電気により、試験布帛２が手に吸い付く現象を触角で体感することができる。また、塵埃等を試験布帛２に近づけると塵埃がひきつけられ、視覚でも静電気を体感することができる。
【産業上の利用可能性】
【００２３】
本発明によれば、試験布帛と摩擦布との摩擦により試験布帛の摩擦帯電性を評価する装置であって、試験布帛に蓄積された静電気を視覚的、触覚的に体感できるため、衣服の着用時に近い静電気の評価が可能な、布帛の摩擦帯電性評価装置が得られ、その工業的価値は極めて大である。
【図面の簡単な説明】
【００２４】
【図１】本発明に係る摩擦帯電性評価装置を例示する図である。
【図２】図１に従い製作した摩擦帯電性評価装置を写真撮影したものである。
【符号の説明】
【００２５】
１：回転枠体
２：試験布帛
３：円筒
４：ハンドル
５：連結部材
６：回転軸
７：筐体
８：固定部材
９：円孔
【図１】
2010060447.tif 000003
【図２】
2010060447.tif 000004